(57)【要約】【課題】  切り裂き用ノッチの鋭利な角部が露出せず、指先を怪我するような不具合いを生じることなく従来品と同様に容易に切り裂いて開封することができるノッチ付き包装袋を提供する。【解決手段】  ノッチ付き包装袋は、複数種のプラスチックフィルム（４ａ、４ｂ、４ｃ、５）が積層されるとともに最内層がシーラント層（５）とされているラミネートフィルムを重ね合わせてで構成され、周囲がヒートシールされてなる包装袋（１）であって、周囲をヒートシールする段階の前段階において所定位置に形成したノッチ（３）に、ヒートシールを施して形成された疑似ノッチ（９）を備えることを特徴とする。【選択図】  図６
2007001596.tif 000002
【特許請求の範囲】
【請求項１】
複数種のプラスチックフィルムが積層されるとともに最内層がシーラント層とされているラミネートフィルムを重ね合わせて、周囲がヒートシールされてなる包装袋であって、
周囲をヒートシールする段階の前段階において所定位置に形成したノッチに、ヒートシールを施して形成された疑似ノッチを備える
ことを特徴とするノッチ付き包装袋。
【請求項２】
前記ラミネートフィルムは、ノッチがないと裂けがたい延伸フィルムを有する
ことを特徴とする請求項１に記載のノッチ付き包装袋。
【請求項３】
前記ノッチは、スリットあるいはミシン目の形状を有する
ことを特徴とする請求項１に記載のノッチ付き包装袋。
【請求項４】
前記疑似ノッチは、前記シーラント層の素材が前記ノッチに融着して形成されている
ことを特徴とする請求項１に記載のノッチ付き包装袋。
【請求項５】
前記疑似ノッチは、切り裂かれて形成された対向する一対の前記ノッチの間の隙間に前記シーラント層の素材からなる埋設体が埋設されて形成されている
ことを特徴とする請求項１に記載のノッチ付き包装袋。
【請求項６】
前記ノッチは、互いの隣接位置に複数個形成されている
ことを特徴とする請求項１に記載のノッチ付き包装袋。
【請求項７】
存在位置を示す目印が表示されている
ことを特徴とする請求項１に記載のノッチ付き包装袋。
【請求項８】
複数種のプラスチックフィルムが積層されるとともに最内層がシーラント層とされているラミネートフィルムを重ね合わせ、周囲をヒートシールして包装袋とする製袋方法において、
所定位置にノッチを形成し、
次に、前記ノッチの形成されたノッチ形成部分を含んで前記周囲にヒートシールを施し前記ノッチ形成部分に疑似ノッチを形成する
ことを特徴とするノッチ付き包装袋の製造方法。
【請求項９】
前記疑似ノッチは、前記シーラント層の素材が前記ノッチに融着して形成されている
ことを特徴とする請求項８に記載のノッチ付き包装袋の製造方法。
【請求項１０】
前記疑似ノッチは、切り裂かれて形成された対向する一対の前記ノッチの間の隙間に前記シーラント層の素材からなる埋設体が埋設されて形成されている
ことを特徴とする請求項８に記載のノッチ付き包装袋の製造方法。
【発明の詳細な説明】
【技術分野】
【０００１】
本発明は、ラミネートフィルムにより形成される包装袋に係り、特にノッチ付き包装袋とその製造方法に関する。
【背景技術】
【０００２】
各種食品類や点滴用医薬品が封入された酸素透過フィルムからなる容器の酸素遮断と補強のための外装用袋などにおいては、開封を容易にできるようにするため、図７に一例を示すように、袋ａの上端の開口端ｂに近い一側または両側のシール部分ｃにスリット状の切り込み、Ｖカット等適宜形状のノッチｄが形成されている。
【０００３】
しかして前記ノッチｄは、硬さが増しているシール部分ｃに形成されていることと、そのノッチｄが打ち抜いて形成されることによりその外端の角部ｅ，ｅが鋭利に尖っており、その角部ｅ，ｅに指先が触れた場合、痛みを感じたり、場合によっては指先を切るなどの怪我をすることがある。
【０００４】
これが医薬品用の袋の場合、出血による血液が付着することは厳禁事項である。
【０００５】
一方、上記袋は、通常強度を保つための二軸延伸フィルムと、ヒートシールにより袋構造とするための内層を構成するシーラント層との積層フィルム（ラミネートフィルム）が用いられるが、二軸延伸フィルムは裂け方向性がないため切り始めに裂き難く、そのため前記ノッチｄを設けることが必須の構成とならざるを得ない。
【０００６】
従来のノッチｄの形成には、前記積層フィルムにより袋状にその周囲をヒートシールしたのちその開口端ｂ側の側部のシール部ｃにノッチｄを打ち抜いて形成せざるを得なかった。
【０００７】
その結果、前記のようにノッチｄの角部ｅ，ｅが鋭利に現われてしまい、前述の問題点をもたらすことになっていた。
【０００８】
また、ノッチｄが直線状のスリット形状やミシン目形状に形成されている場合のように、ノッチｄが打ち抜かれて形成されるのではなく切り裂かれて形成された場合においても、開封時に角部に指先を切る危険があるという問題があった。
【特許文献１】登録実用新案  第３０２３３８３号公報
【発明の開示】
【発明が解決しようとする課題】
【０００９】
本発明の目的は、切り裂き用のノッチが設けられていてもそのノッチの外端の角部が鋭利な存在となることがなく、指先を怪我するような不具合を生じず、それでいて従来と同様に容易に切り裂いて開封することができるノッチ付き包装袋とその製造方法を提供することにある。
【課題を解決するための手段】
【００１０】
上記課題を解決する手段として、本発明による包装袋は、複数種のプラスチックフィルムが積層されるとともに最内層がシーラント層とされているラミネートフィルムを重ね合わせて、周囲がヒートシールされてなる包装袋であって、周囲をヒートシールする段階の前段階において所定位置に形成したノッチに、ヒートシールを施して形成された疑似ノッチを備えることを特徴とする。
【００１１】
また、前記ラミネートフィルムは、ノッチがないと裂けがたい延伸フィルムを有することを特徴とする。ここで、ノッチがないと裂けがたい延伸フィルムとは、例えば２軸延伸フィルム等のように、構造材としての役を担う大きい強度と硬さを有するラミネートフィルムをいう。
【００１２】
また、前記ノッチは、スリットあるいはミシン目の形状を有することを特徴とする。
【００１３】
また、前記疑似ノッチは、前記シーラント層の素材が前記ノッチに融着して形成されていることを特徴とする。
【００１４】
また、前記疑似ノッチは、切り裂かれて形成された対向する一対の前記ノッチの間の隙間に前記シーラント層の素材からなる埋設体が埋設されて形成されていることを特徴とする。
【００１５】
また、前記ノッチは、互いの隣接位置に複数個形成されていることを特徴とする。互いの隣接位置に複数個のノッチが形成されていることによって、複数個の疑似ノッチが隣接して形成されており、容易に疑似ノッチを引き裂くことができるだけでなく、切り目位置を示す目印としても機能することができる。
【００１６】
また、存在位置を示す目印が表示されていることを特徴とする。疑似ノッチの外表面は手で触れても認識しにくいので、存在位置を示す目印があることによって的確に認識することができる。
【００１７】
また、延伸フィルムとシーラント層との間には、必要に応じてガスバリア性を有するフィルム等を積層することができる。
【００１８】
また、発明による包装袋とする製袋方法は、複数種のプラスチックフィルムが積層されるとともに最内層がシーラント層とされているラミネートフィルムを重ね合わせ、周囲をヒートシールして包装袋とする製袋方法において、所定位置にノッチを形成し、次に、前記ノッチの形成されたノッチ形成部分を含んで前記周囲にヒートシールを施し前記ノッチ形成部分に疑似ノッチを形成することを特徴とする。
【００１９】
前記ラミネートフィルムを構成するプラスチックフィルムの積層数およびフィルムの素材の種類は包装袋の使用目的に応じて適宜選択されるが、通常は積層数は３〜５層とされる。
【発明の効果】
【００２０】
本発明によれば、周囲をヒートシールする段階の前段階において所定位置に切り込みを入れて形成したノッチにヒートシールを施して形成された疑似ノッチを備えるので、疑似ノッチがシーラント層の溶融によって覆われた構造となり、これによりノッチの角部が外部に全く現われることがなく、したがって指先がノッチの角部に当って怪我をするようなことが防がれ、安全なノッチ付き包装袋とすることができる。
【００２１】
開封時には、従来と同様に疑似ノッチから切り裂くようにすれば、該疑似ノッチに予め潜在的に形成されているノッチの存在によりこのノッチを覆っているプラスチックを切るだけで裂くことができ、容易に開封することができる。
【００２２】
また、ヒートシールする工程とノッチを形成する工程を入れ替えるというように、従来のノッチ付き包装袋の製造方法における工程を大幅に変更することなく、安全性の高いノッチ付き包装袋を確実に製造することができる。
【発明を実施するための最良の形態】
【００２３】
図１は疑似ノッチ９を備える本発明によるノッチ付き包装袋の一実施形態の正面図を示し、図２は図１における疑似ノッチ９含む部分の拡大図を示している。
【００２４】
ノッチ付き包装袋１の基本構成に関しては、在来の包装袋と同様に複数種のプラスチックフィルムが積層され最内層がヒートシール可能なプラスチックからなるシーラント層とされたラミネートフィルムで構成され、側部および下端底部がヒートシールにより接合されて袋構造とされるものである。ラミネートフィルム４は、ノッチがないと容易には裂けがたい延伸フィルムとシーラント層とから少なくとも構成されており、シーラント層は延伸フィルムに比べて低い融点温度を有する。
【００２５】
本発明によるノッチ付き包装袋１は、側部のシール部２、２の一方または双方の所定位置に切り裂き用のノッチ３が切り裂き等により形成されている。
【００２６】
本発明における上記ノッチ３の形成は、図３（Ａ）、図４（Ａ）に示すように、包装袋の表裏を構成するラミネートフィルム４、４を重ね合わせた段階で側部の所定位置にスリット、ミシン目等から選択された形態のノッチ３が切り裂き手段等により構成されている。ここでは、ノッチ３として直線状のスリットが示されている。次いで図３（Ｂ）、図４（Ｂ）に示すように該側部をヒートシールすると、延伸フィルムは溶融せずにシーラント層５のみが溶融し表裏のシーラント層５が互いに融着される。このとき、ノッチ３の断面端部から溶融したシーラント層５の素材であるプラスチックが、切り裂かれて対向する一対のノッチ３部分に漏れ出て、対向する一対のノッチ３部分はシーラント層５のプラスチックによって埋設されるとともに融着される。この結果、切り裂かれて対向する一対のノッチ３は一体的に結合され、疑似ノッチ９が形成される。図６に示すように、疑似ノッチ９は、対向する一対のノッチ３の間の隙間を溶融したシーラント層５のプラスチックからなる埋設体８によって埋設されて形成されているので、外部にはノッチ３の角部３ａ，３ａが全く露出しない状態に埋没した形となる。また、疑似ノッチ９は、対向する一対のノッチ３がシーラント層５のプラスチックからなる埋設体８によって融着されているだけであるので、対向する一対のノッチ３が内部に埋設されているような状態で弱く結合されており、このため、疑似ノッチ９はノッチ３の位置で容易に切り裂くことが可能になる。なお、図６においては、疑似ノッチ９はわかりやすくするために、スリット形状のノッチ３の幅やラミネートフィルム４の厚さを実際より大きく表示されている。
【００２７】
シール部２、２の外部表面には疑似ノッチ９のノッチ３の切れ目が露出しておらず、シール部２、２の内部にノッチ３の切れ目が残存する状態となる。ラミネートフィルム４、４が透明体の場合には、疑似ノッチ９の内部にノッチ３の切れ目が残存していることが、シール部２、２の外部表面から視認できる状態となる。このようにして、シール部２、２のノッチに該当する部位に手指が触れても痛みを与えたり指先を切るなどのことがない構造が形成されている。
【００２８】
ここで、ノッチ３の形態としては、直線状の破断させたスリット、直線状の断続的なミシン目等の種々のものから選択された形態が可能であり、図１等においては例示的にスリットが例示されている。なお、ノッチ３の形態としてスリットやミシン目以外に、切り抜かれた面積部分を小さくした鋭角的なＶカットを採用することも可能である。
【００２９】
また、上記ラミネートフィルム４としては、例えば図５（Ａ）に示すように、最外層４ａにノッチ３が形成されていない場合には容易には切り裂くことができない強度の高い二軸延伸フィルム（ＰＥＴ）、中間層４ｂに耐ピンホール性の高いフィルム（ナイロン系・ＯＮＹ）、熱融着性に富む最内層のシーラント層５として無延伸ポリエチレン（ＬＬＤ）とされた３層構造、耐酸素バリア性を高める必要のある包装袋とする場合は、ポリビニールアルコール（ＰＶＡ）を層間に４ｃ，４ｃに積層した５層構造（図５（Ｂ））のラミネートフィルムとされる。
【００３０】
そのほか包装袋の使用目的に応じそれに適するラミネートフィルムを用いることができる。そしていずれの場合も前記と同様にしてノッチ付き包装袋１を形成することができる。
【００３１】
このように構成される疑似ノッチ９は、前述のように手を触れてもその存在は分かりにくい状態となるので、その存在位置の目印として図１に例示するように「切り口」等の表示６を印刷しておくことが好ましい。表示６によって、疑似ノッチ９の存在位置を的確に確認することができる。
【００３２】
また、ノッチ３は、互いの隣接位置に複数個形成されていてもよい。この場合、スリットやミシン目のノッチ３が平行に例えば２列あるいは３列に並設され、疑似ノッチ９も２列あるいは３列に形成されている。複数の疑似ノッチ９の存在によって、容易に疑似ノッチ９を引き裂くことができるだけでなく、位置を視認しやすくなり切り目位置の目印として機能させることもできる。
【００３３】
上記構成によるノッチ付き包装袋１は、従来の包装袋と同様に内容物を装入したのち開口端７をヒートシールすることにより製品となる。
【００３４】
これを開封するときは、疑似ノッチ９の存在する箇所から切り裂くようにすればよい。疑似ノッチ９にはノッチ３が潜在しているので、また、埋設体８はシーラント層５の溶融したプラスチックで極く薄く、かつ裂け方向性がないように形成されているので、疑似ノッチ９はノッチ３としての機能を発揮する状態となって横方向に切り裂いて開封することができる。
【００３５】
なお、上述の説明においては、いわゆる三方シールのノッチ付き包装袋について示したが、包装袋の形成としてはこれに限らず、三方にチャックを施した包装袋、スタンド型、スタンドチャック型等の横取り形態の包装袋にノッチを施してもよく、あるいは縦取り形態の包装袋の底シール部にノッチを施してもよい。
【図面の簡単な説明】
【００３６】
【図１】本発明によるノッチ付き包装袋の一実施形態を示す正面図。
【図２】図１における疑似ノッチ部分の拡大図。
【図３】（Ａ）はノッチを切り裂いた段階、（Ｂ）は側部にヒートシールを施した状態の各正面図。
【図４】（Ａ）〜（Ｃ）はノッチの形成から側部ヒートシール完了までの工程を模式的に示す部分拡大断面図。
【図５】（Ａ），（Ｂ）はラミネートフィルムの構成例を示す拡大断面図。
【図６】疑似ノッチを拡大して示す図。
【図７】従来のノッチ付き包装袋を示す正面図。
【符号の説明】
【００３７】
１  ノッチ付き包装袋
２  側部シール部
３  ノッチ
３ａ  角部
４  ラミネートフィルム
５  シーラント層
６  表示
７  開口端
８  埋設体
９  疑似ノッチ
【図１】
2007001596.tif 000003
【図２】
2007001596.tif 000004
【図３】
2007001596.tif 000005
【図４】
2007001596.tif 000006
【図５】
2007001596.tif 000007
【図６】
2007001596.tif 000008
【図７】
2007001596.tif 000009